(57)【特許請求の範囲】
【請求項１】
縦材を吊り上げるための吊上げ装置であって、
前記縦材の上部と中間部に巻きつけられる吊りロープと、
前記吊りロープに連結されて前記縦材の下端に係止される係止部と、
前記吊りロープが掛け回された滑車と、
前記滑車に取り付けられた留具と、を備えており、
前記留具に前記係止部が取り付けられていることを特徴とする吊上げ装置。
【請求項２】
前記吊りロープが、前記縦材の上部と中間部とに巻きつけられる上側吊りロープと、
前記滑車に掛け回された下側吊りロープと、前記上側吊りロープと前記下側吊りロープとを連結する連結具と、を備えていることを特徴とする、請求項１に記載の吊上げ装置。
【発明の詳細な説明】
【技術分野】
【０００１】
本発明は、吊上げ装置に関する。
【背景技術】
【０００２】
構造物を構築する場合において、縦材をクレーン等の揚重機械を利用して、吊り上げて、所定の位置に建て込む場合がある。
【０００３】
縦材の建て込み方法としては、例えば特許文献１に示すように、縦材の上端部と下端部に吊りロープを固定し、この吊りロープを、クレーン等の揚重機により吊りあげて、所定の位置に縦材を建て込む方法がある。
【０００４】
ところが、前記建て込み方法は、縦材自体が剛性を備えている必要がある。
そのため、ＰＣ鋼棒や鉄筋等の建て込みには採用することができなかった。
【０００５】
また、特許文献２には、縦材の上端部に吊り具を設け、この吊り具から延びるロープを介してクレーン等の揚重機により吊り上げる方法が開示されている。
【先行技術文献】
【特許文献】
【０００６】
【特許文献１】特許第２９８７３７４号公報
【特許文献２】特許第４３３９４８７号公報
【発明の概要】
【発明が解決しようとする課題】
【０００７】
特許文献２の方法は、上端部に固定された治具に作業員の手が届くように、足場を組む必要がある。そのため、足場工に手間と費用がかかってしまう。
また、各縦材への治具の設置および取り外しに手間がかかるため、縦材を多数建て込む場合には、工期短縮化の妨げとなっていた。
【０００８】
本発明は、前記の問題点を解決することを目的とするものであり、縦材の建て込み時の作業効率を高めることを可能とし、かつ、工事費の低減化も可能とした吊上げ装置を提案することを課題とする。
【課題を解決するための手段】
【００１２】
前記課題を解決するために、本発明の吊上げ装置は、前記縦材の上部と中間部に巻きつけられる吊りロープと、前記吊りロープに連結されて前記縦材の下端に係止される係止部と、前記吊りロープが掛け回された滑車と、前記滑車に取り付けられた留具とを備えており、前記留具に前記係止部が取り付けられていることを特徴としている。
【００１３】
かかる吊上げ装置によれば、縦材への取り付けおよび取り外しを簡易に行うことができるため、作業効率を高めることが可能である。
【００１４】
前記吊上げ装置は、前記吊りロープが掛け回された滑車と、前記滑車に取り付けられた留具とを備えており、前記留具に前記係止部が取り付けられているため、滑車を利用して吊りロープをより強く緊結させることが可能となる。
【００１５】
また、前記吊りロープが、前記縦材の上部と中間部とに巻きつけられる上側吊りロープと、前記滑車に掛け回された下側吊りロープと、前記上側吊りロープと前記下側吊りロープとを連結する連結具とを備えていれば、吊上げ装置を着脱する際に、上側吊りロープと下側吊りロープとを分割することが可能となるので、吊上げ装置を簡易に着脱することができる。
【発明の効果】
【００１６】
本発明の吊上げ装置によれば、縦材の建て込み作業の作業効率を高めることを可能とし、かつ、工事費の低減化が可能となる。
【図面の簡単な説明】
【００１７】
【図１】本実施形態に係る縦材が設置された地上タンクを示す図であって、（ａ）は書面図、（ｂ）は部分拡大断面図である。
【図２】縦材の吊り上げ状況を示す斜視図である。
【図３】本実施形態の吊上げ装置を示す図である。
【発明を実施するための形態】
【００１８】
本実施形態では、地上タンク１の構築時に縦材１０を建て込む場合について説明する。
地上タンク１は、図１に示すように、底版１１と、側壁１２と、縦材１０と、横材１３と、屋根１４とを備えている。
【００１９】
地上タンク１の内部空間（底版１１、側壁１２および屋根１４により囲まれた空間）には、液体等が収容される。なお、地上タンク１の収容物は限定されるものではなく、例えばＬＮＧ、ＬＰＧ、工業用水等を収容することができる。
【００２０】
本実施形態の地上タンク１は、底版１１、側壁１２および屋根１４の内側に内槽板１５が設けられた二重構造により構成する。底版１１、側壁１２および屋根１４と内槽板１５との間には、保冷材１６が充填されている。なお、地上タンク１は、必ずしも二重構造である必要はない。
【００２１】
底版１１は、地盤上に形成された鉄筋コンクリート製の版状部材であって、直接基礎を兼ねている。
なお、底版１１は、必ずしも基礎を兼ねるものである必要はなく、底版１１とは別に基礎構造を構築してもよい。また、地上タンク１の基礎構造として、杭基礎やパイルドラフト基礎を適用してもよい。
【００２２】
側壁１２は、防液堤を構成する鉄筋コンクリート製部材であって、底版１１の上面に立設されている。側壁１２の下端は底版１１に剛結合されている。本実施形態の側壁１２は、円筒状に形成されている。なお、側壁１２の形状は、円筒状に限定されるものではなく、適宜形成すればよい。
【００２３】
側壁１２には、周方向で所定のピッチで配筋された縦筋（図示せず）と、上下方向で所定のピッチで配筋された横筋（図示せず）とを備えている。
なお、必要に応じて、せん断補強筋を配筋してもよい。
【００２４】
側壁１２の内部には、図１に示すように、緊張材（縦材１０および横材１３）が埋設されている。
縦材１０は、縦方向（鉛直方向）の緊張材であって、側壁１２の厚さ方向の中央付近において上下方向に連続して配設されている。縦材１０の下端は、底版１１に定着している。側壁１２には、側壁１２の周方向に間隔をあけて複数本の縦材１０，１０，…が配設されている。
【００２５】
本実施形態では、縦材１０としてＰＣ鋼棒を使用するが、縦材１０を構成する材料は限定されるものではなく、例えば、ＰＣ鋼線やＰＣ鋼より線を使用してもよい。
縦材１０には、緊張力が導入されていて、側壁１２に対して鉛直方向の圧縮力を付与している。こうすることで、側壁１２の曲げ耐力が高められる。
【００２６】
横材１３は、周方向（横方向）の緊張材であって、側壁１２内において縦材１０の外側に配設されている。
本実施形態では、横材１３としてＰＣ鋼より線を使用するが、横材１３を構成する材料は限定されるものではなく、例えば、ＰＣ鋼線やＰＣ鋼棒を使用してもよい。
【００２７】
横材１３には、緊張力が導入されており、側壁１２に周方向の圧縮力を付与している。こうすることにより、地上タンク１内の液圧等により側壁１２の周方向に生じ得る引張力を解消、あるいは、低減することが可能となる。
【００２８】
屋根１４は、図１に示すように、側壁１２の上部で支持されるドーム状のコンクリート製もしくは鋼製の部材である。屋根１４を構成する材料は限定するものではない。また、屋根１４の形状も限定されるものではなく、例えば平板状に形成する等、側壁１２の形状や収容物等に応じて適宜形成すればよい。
【００２９】
縦材１０の建て込み作業は、図２に示すように、吊上げ装置２により縦材１０を縦向きに吊上げた状態で行う。
本実施形態では、縦材１０の下端を既設の縦材１０の上端に連結するが、縦材１０の設置箇所は限定されるものではない。
【００３０】
吊上げ装置２は、縦材１０を吊り上げるためのものであって、図３に示すように、吊りロープ２１と、係止部２２と、滑車２３と、留具２４とを備えている。
【００３１】
吊りロープ２１は、縦材１０の上部と中間部に巻きつけられる。
本実施形態の吊りロープ２１は、縦材１０の上部と中間部とに巻きつけられる上側吊りロープ２５と、滑車２３に掛け回された下側吊りロープ２６と、上側吊りロープ２５と下側吊りロープ２６とを連結する連結具２７とを備えている。
【００３２】
係止部２２は、縦材１０の下端に係止されるものであり、吊りロープ２１に連結されている。本実施形態の係止部２２は、有底の筒状部材により構成されていて、縦材１０の下端部を抱持する。係止部２２には、縦材１０の下端部が挿入され、係止部２２の底面が縦材１０の下端に係止される。なお、係止部２２の構成は限定されるものではない。
【００３３】
滑車２３には、吊りロープ２１（下側吊りロープ２６）が掛けまわされている。また、滑車２３には、留具２４が取り付けられている。
留具２４は、係止部２２に取り付けられている。
つまり、係止部２２は、滑車２３および留具２４を介して吊りロープ２１に連結されている。
【００３４】
以下、吊上げ装置２を利用した縦材の建て込み方法について説明する。
縦材の建て込み方法は、準備工程と、取付工程と、吊上げ工程と、配置工程と、固定工程と、取外し工程とを備えている。
【００３５】
準備工程は、吊上げ装置２を用意する工程である。
準備工程では、係止部２２と滑車２３とを留具２４を介して連結しておくとともに、下側吊りロープ２６を滑車２３に掛けまわしておく。
【００３６】
取付工程は、係止部２２を縦材１０の下端に係止させるとともに、縦材１０の上部と中間部に吊りロープ２１を巻き付ける工程である。
【００３７】
係止部２２は、縦材１０の下端に被せ、縦材１０の下端に係止させる。縦材１０の下端は、係止部２２の底部に当接させておく。
【００３８】
上側吊りロープ２５は、縦材１０の上端部と中間部との２箇所に巻き付ける。縦材１０の上端部では上側吊りロープ２５を１回巻き付け、縦材１０の中間部では上側吊りロープ２５を２回巻き付けておくものとする。なお、吊りロープ２１の巻き付け回数は限定されない。
【００３９】
上側吊りロープ２５は、縦材１０の周囲を一周させて交差させた状態で縦材１０に巻き付ける。つまり、上側吊りロープ２５は、縦材１０に螺旋状に巻き付けるものでもなく、縦材１０を１周した後、十字状に交差させ、一端側が上方向に延び、他端側が下方向に延びるように巻き付ける。
【００４０】
上側吊りロープ２５を縦材１０に巻き付けたら、下側吊りロープ２６の下端側（上側吊りロープ２５と反対側）を引張り、係止部２２と、吊りロープ２１の縦材１０への巻き付け部分との間を張った状態にする。
【００４１】
なお、上側吊りロープ２５と下側吊りロープ２６の連結は、準備工程において連結しておいてもよいし、上側吊りロープ２５を縦材１０に巻き付けてから連結してもよい。
【００４２】
吊上げ工程は、吊りロープ２１を揚重機のフック３０に掛けるとともに、縦材１０が縦向きとなるように吊り上げ、吊りロープ２１の巻き付け部分を緊結させる工程である（図２参照）。
縦材１０の周囲を一周して交差させた吊りロープ２１を吊上げると、吊りロープ２１は縦材１０に緊結されるため、縦材１０は抜け落ちることなく吊り上げられる。
【００４３】
配置工程は、揚重機を利用して縦材１０を所定の位置に移動させる工程である。
縦材１０は、縦向きの状態を維持したまま、移動する（図２参照）。
【００４４】
固定工程は、配置工程において移動させた縦材１０を固定する工程である。
縦材１０の固定は、係止部２２を取り外し、縦材１０の下端部を露出させた状態で、縦材１０を所定の位置（既存の縦材１０の上端）に立設させる。なお、係止部２２の取り外しは、滑車２３を介して下側吊りロープ２６を緩めることにより行う。このとき、上側吊りロープ２５は縦材１０の周囲に緊結された状態が維持されているため、縦材１０が落下する（抜け落ちる）ことはない。
【００４５】
取外し工程は、吊上げ装置２を縦材１０から取り外す工程である。
吊上げ装置２は、揚重機のフック３０を下降させることにより行う。フック３０を下降させると、吊りロープ２１の巻き付け部分が緩まるため、吊上げ装置２は、縦材１０に沿って下方に降下する。そして、縦材１０の下端部において、吊りロープ２１をほどくことで、吊上げ装置２を撤去する。
【００４６】
本実施形態の縦材の建て込み方法および吊上げ装置によれば、縦材１０の建て込みを効率的に行うことができる。
つまり、吊上げ装置２は、縦材１０を建て込んだ後、フック３０を下降させることで、下方に降下するため、縦材１０の下端部において撤去作業を行うことができる。そのため、縦材１０の上端部において作業を行うための足場を省略することが可能となる。
【００４７】
また、縦材１０は、上端部と中間部において巻き付けられた吊りロープ２１により吊上げるため、縦材１０自体の剛性の有無に関わらず、縦向きの状態で移動させることができる。このように縦材１０が縦向きで移動されるため、縦材１０を所定の位置に取り付ける際に、縦材１０を立設させる作業を省略することができるため、作業性に優れている。
【００４８】
縦材１０は、上端部と中間部において、緊結されているため、安全に移動させることができる。さらに、縦材１０の下端部が係止部２２に係止されているため、より安全に作業を行うことができる。  
【００４９】
以上、本発明に係る実施の形態について説明した。しかし、本発明は、前述の実施形態に限られず、前記の各構成要素については、本発明の趣旨を逸脱しない範囲で、適宜変更が可能である。
【００５０】
前記実施形態では、地上タンクの縦材を建て込む場合について説明したが、本実施形態の縦材の建て込み方法により施工される構造物は地上タンクに限定されるものではなく、あらゆる縦材を有した構造物に適用可能である。
【００５１】
前記実施形態では、本発明の吊上げ装置を利用して緊張材（ＰＣ鋼材）を吊上げる場合について説明したが、縦材は緊張材に限定されるものではなく、例えば、鉄筋や鉄骨材等であってもよい。
【００５２】
前記実施形態では、吊りロープが上側吊りロープと下側吊りロープとを組み合わせて構成する場合について説明したが、吊りロープは１本のロープにより構成されていてもよいし、３本以上のロープで構成されていてもよい。
【００５３】
前記実施形態では、滑車が吊りロープの下端部に配設されている場合について説明したが、滑車は必要に応じて配設すればよく、省略してもよい。吊りロープと係止部とが直接連結されていてもよい。
【符号の説明】
【００５４】
１    地上タンク
１０  縦材
２    吊上げ装置
２１  吊りロープ
２２  係止部
２３  滑車
２４  留具
２５  上側吊りロープ
２６  下側吊りロープ
２７  連結具
３０  フック
【図１】
0005764079.tif 000002
【図２】
0005764079.tif 000003
【図３】
0005764079.tif 000004